(57)【特許請求の範囲】
【請求項１】
ゴルフボールを加熱する際ユーザーによって使用されるデバイスにおいて、
第1近位端及び第1遠位端を有する第1レバーアームと、
第2近位端及び第2遠位端を有する第2レバーアームと、
第1近位端及び第2近位端の両方と連結したピボットと、
第1遠位端と連結する第1ゴルフボール受容ユニットであって、第1外部筐体、加熱要素、第1内部加熱面を含む第1ゴルフボール受容ユニットと、
第2遠位端と連結する第2ゴルフボール受容ユニットであって、第2外部筐体、加熱要素、第2内部加熱面を含む第2ゴルフボール受容ユニットと、
を備え、
前記加熱要素が前記ゴルフボールを加熱するとき、前記ゴルフボール受容ユニット内に収容されているゴルフボールにディンプルパターンを付与できるように、第1内部加熱面と第2内部加熱面の各々にディンプルパターンが形成されていて、
第1ゴルフボール受容ユニットと第2ゴルフボール受容ユニットの少なくとも一方が、該ゴルフボール受容ユニットにゴルフボールが納められるとき該ゴルフボールを特定方向に向けるように構成された少なくとも一つの構造体をさらに含み、
この少なくとも一つの構造体は、該ゴルフボール受容ユニットの内部加熱面から進退可能なピンであることを特徴とするデバイス。
【請求項２】
前記第1内部加熱面及び第2内部加熱面が、それぞれ、半球状であり、それぞれが、ゴルフボールの直径とほぼ同じ直径を有することを特徴とする、請求項１に記載のデバイス。
【請求項３】
前記第1内部加熱面及び第2内部加熱面の直径が4.27 ｃｍであることを特徴とする、請求項２に記載のデバイス。
【請求項４】
前記第1ゴルフボール受容ユニット及び第2ゴルフボール受容ユニットの内の少なくとも一方が、それぞれ、前記第1レバーアーム及び第2レバーアームに取り外し可能に連結されることを特徴とする、請求項１に記載のデバイス。
【請求項５】
前記第1内部加熱面及び第2内部加熱面の内の少なくとも一方が、前記各外部筐体に取り外し可能に連結されるプレートを含むことを特徴とする、請求項１に記載のデバイス。
【請求項６】
前記加熱要素が、前記ゴルフボール受容ユニットを、100℃〜140℃の温度にまで加熱することを特徴とする、請求項１に記載のデバイス。
【請求項７】
前記加熱要素が電熱要素であり、
前記デバイスが、バッテリー、及び外部電源に接続するためのポートの内の少なくとも一つを含む、
ことを特徴とする、請求項１に記載のデバイス。
【請求項８】
２つの受容ユニットの嵌合状態と嵌合解除状態との間で変化するラッチ機構であって、嵌合状態では第1ゴルフボール受容ユニットと第2ゴルフボール受容ユニットとを一緒に保持するように構成されたラッチ機構をさらに含む、請求項１に記載のデバイス。
【請求項９】
前記ラッチ機構が、ユーザー起動入力に応じて該ラッチ機構を解除するように構成された手動解除機構に接続されることを特徴とする、請求項８に記載のデバイス。
【請求項１０】
前記ラッチ機構が自動解除システムに接続され、該自動解除システムは、
温度センサー、コントローラー、及びトリガーを含み、
該コントローラーは、該温度センサーからのインプットに基づいて該ラッチ機構を解除するように該トリガーを起動するようにプログラムされていることを特徴とする、請求項８に記載のデバイス。
【請求項１１】
ゴルフボールを加熱する際ユーザーによって使用されるデバイスであって、第1近位端及び第1遠位端を有する第1レバーアーム、第2近位端及び第2遠位端を有する第2レバーアーム、第1近位端及び第2近位端の両方に装着されたピボット、第1遠位端と連結しかつ加熱要素を含む第1ゴルフボール受容ユニット外部筐体、及び、第2遠位端と連結しかつ加熱要素を含む第2ゴルフボール受容ユニット外部筐体、を含むデバイスと、
少なくとも二対のプレートペアからなるセットであって、各プレートペア中の各プレートが、第1ゴルフボール受容ユニット外部筐体及び第2ゴルフボール受容ユニット外部筐体の内の少なくとも一方と取り外し可能に連結される、少なくとも二対のプレートペアからなるセットと、
を備えるキットにおいて、
前記加熱要素が前記ゴルフボールを加熱するとき、ゴルフボールに異なるディンプルパターンを付与できるように、各プレートペアが、それぞれの内部加熱面上に異なるディンプルパターンを有し、
第1ゴルフボール受容ユニット外部筐体と第2ゴルフボール受容ユニット外部筐体の少なくとも一方の内部にゴルフボールが納められるとき該ゴルフボールを特定方向に向けるように構成された少なくとも一つの構造体をさらに含み、
この少なくとも一つの構造体は、前記内部加熱面から進退可能なピンであることを特徴とする、キット。
【請求項１２】
各ディンプルパターンが、同じディンプル全体容積を有することを特徴とする、請求項１１に記載のキット。
【請求項１３】
各ディンプルパターンが、互いに異なるプレイ特徴と対応することを特徴とする、請求項１１に記載のキット。
【請求項１４】
デバイスによってゴルフボールを加熱するためのキットにおいて、
第1近位端及び第1遠位端を有する第1レバーアームと、
第2近位端及び第2遠位端を有する第2レバーアームと、
第1近位端及び第2近位端の両方と連結したピボットと、
第1ディンプルパターンを有する第1内部加熱面、第1内部加熱面に連結される第1加熱要素、及び、該第1ゴルフボール受容ユニットと該デバイスとを連結するように構成された第1装着機構、を含む、第1ゴルフボール受容ユニットと、
第2ディンプルパターンを有する第2内部加熱面、第2内部加熱面に連結される第2加熱要素、及び、該第2ゴルフボール受容ユニットと該デバイスとを連結するように構成された第2装着機構、を含む、第2ゴルフボール受容ユニットと、
140℃未満の温度において変化することが可能なカバー層を有する少なくとも一つのゴルフボールと、
を備え、
前記少なくとも一つのゴルフボールは、第1ゴルフボール受容ユニット及び第2ゴルフボール受容ユニットの少なくとも一方に配向されつつ収容されるように、少なくとも一つの構造体を受け入れるように構成されていることを特徴とする、キット。
【発明の詳細な説明】
【技術分野】
【０００１】
本開示は、ゴルフボールに熱を印可するための携帯クランプデバイスに関する。
【背景技術】
【０００２】
ゴルフゲームは、アマチュアレベルでもプロフェッショナルレベルでも人気スポーツの度を増している。当該技術分野では、ゴルフボールの製造及び設計に関して広範な技術が公知である。このような技術によって、より優れた性能、より永続的な耐久性を持つゴルフボールが得られている。しかしながら、それにも拘わらず、ゴルフボールは依然としていくつかの欠陥を抱える。
【０００３】
例えば、ゴルフボールのカバー層は、ゴルフクラブによる繰り返しの衝撃によって時間と共に摩耗し、劣化する。カバー層に使用される材料は一般的に強靱ではあるけれども、ゴルフクラブによる打撃という鈍的力によって最終的にはひび割れる。次に、このゴルフボールは、最適に劣るプレイ特徴を呈するようになり、ボールは最終的に使用不能となる。アマチュアゴルファーは、一般に、新しいゴルフボールの購入コストを最小にすることを好む。したがって、ゴルフボールの表面層を修復するために、これまでにも種々の方法及びシステムが開発されてきている。
【０００４】
もう一つの例として、ゴルファーは、異なるプレイ特徴を実現するために、いくつかのゴルフボールセットを購入する必要に迫られる場合がある。例えば、異なるディンプルパターンは、飛行中のゴルフボールの航空力学特性に影響を及ぼすかもしれないし、あるいは、硬度の違いは、バックスピン率に影響を及ぼすかもしれない。したがって、ゴルファーは、ラウンドのゴルフコース全体に亘って所望のプレイ特徴を実現するために、数セットのゴルフボールを携帯し、使用したいと思う場合がある。すなわち、ゴルファーは、ドライバーショットのためには一種のゴルフボールを、パッティングのためには別の一種を使用する場合がある。これは、コスト増加とゴルファーにとっての不便さの表れである。
【０００５】
上述の欠陥は、いずれも、ゴルフボールに熱を印可することによって対処することが可能である。しかしながら、ゴルフボールに熱を印可するための公知の方法及びデバイスは、いくつかの理由で一般に不十分である。例えば、ゴルフボールを加熱によって修復するための現今の方法は、一般に、嵩張って高価な機器を使用する。このような機器は、一般に、ゴルファーによる使用は不可能であり、工業規模の機械である。さらに、公知の携帯型ゴルフボールヒーターは、単に、ゴルフボールを寒冷天候から保護するために温めるだけのもので、上述の作用を実現するのに十分なほど高い温度には達しない。
【０００６】
したがって、当該技術分野において、上述の従来技術の欠陥に対処するシステム及び方法が求められている。
【発明の概要】
【課題を解決するための手段】
【０００７】
本開示は、ゴルフボールに熱を印可するための携帯型クランプデバイスに関する。本デバイスは、それぞれ、一端においてピボットに装着される、2本のレバーアームを有していてもよい。ゴルフボールを保持するためのゴルフボール受容ユニットは、ピボットとは反対の末端において各レバーアームに装着されてもよい。各ゴルフボール受容ユニットは、加熱要素を含んでもよく、かつ、外部筐体、及び内部加熱面から構成されていてもよい。
【０００８】
別の局面では、各ゴルフボール受容ユニットの内部加熱面は、パターンを含んでもよい。このパターンは、ゴルフボール表面に形成される所望パターンの逆転であることが可能である。内部加熱表面のパターンはディンプルパターンであってもよい。使用時、本携帯デバイスは、内部加熱面のパターンが、ゴルフボール表面の中にディンプルパターンを形成するようにゴルフボールの表面を加熱してもよい。
【０００９】
この携帯クランプデバイスは、複数のゴルフボール受容ユニットペアから成るセットと共に、時には一つ以上のゴルフボールと共に、キットの一部として含まれてもよい。この実施態様では、数ペアのゴルフボール受容ユニットは、それぞれ、その内部に異なるパターンを含んでもよい。これらのパターンは、異なるディンプルパターンであってもよい。ある実施態様では、これらの異なるパターンは、ゴルフボールの異なるプレイ特徴と一致してもよい。これらの異なるパターンはさらに、一定のディンプル全体容積を有していてもよい。
【００１０】
当業者であれば、本発明の他のシステム、方法、特色、及び利点は、下記の図面及び詳細な説明を精査することによって明白となろう。それらの追加システム、方法、特色、及び利点は、本明細書及び本概要の範囲内に含まれること、本発明の範囲内に納まること、及び、下記の特許請求項によって保護されることが意図される。
【００１１】
本発明は、下記の図面及び説明を参照することによってさらに良く理解することが可能である。図面の成分は必ずしも実尺に合致するものではなく、重点はむしろ、本発明の原理の説明に置かれる。さらに図面において、種々の投影図を通じて、同じ参照数字は対応部品を表示する。
【図面の簡単な説明】
【００１２】
【図１】携帯クランプデバイスの一実施態様、及び、ディンプルを欠く関連ゴルフボールを示す。
【図２】図1の携帯クランプデバイスの側面図を示す。該デバイスでは、ディンプル欠如ゴルフボールの実施態様が、ゴルフボール受容ユニットの一実施態様の中に配置され、第2レバーアーム103及びピボット104が、矢印に示すように動かされる。
【図３】ゴルフボールを取り囲む、二つのゴルフボール受容ユニットの断面側面図を示す。
【図４】ゴルフボール周囲の、二つのゴルフボール受容ユニットの、より詳細な等尺図を示す。
【図５】関連ゴルフボールを、ゴルフボール受容ユニットにおいて方向づけるために使用されるいくつかのピンを有する、ゴルフボール受容ユニットを示す。
【図６】ゴルフボールをいくつかのピンによって方向づける、ゴルフボールを取り囲む、二つのゴルフボール受容ユニットの断面側面図を示す。ピンの内の1本は、後退可能であることが示される。
【図７】ゴルフボール受容ユニットにおいて関連ゴルフボールを方向づけるために使用することが可能な、非標準的ディンプルを有するゴルフボール受容ユニットを示す。
【図８】ヒトの手によって把持される使用中の携帯クランプデバイスを示す。
【図９】ゴルフボール受容ユニットの実施態様をレバーアームに装着するための、第1装着機構の実施態様を示す。
【図１０】ゴルフボール受容ユニットの実施態様をレバーアームに装着するための、第2装着機構の実施態様を示す。
【図１１】使用前及び使用中における、一組のゴルフボール受容ユニットの実施態様の真っ向正面図を示す。
【図１２】使用後、ゴルフボール受容ユニットの開放を自動的または手動的に制御するためのコントロールシステムの実施態様を示す。
【図１３】携帯クランプデバイスにおける電気システムの実施態様を示す。
【図１４】ゴルフボール受容ユニットの別の実施態様を示す。
【図１５】ゴルフボール受容ユニットの内面に配置される、それぞれが異なるパターンを有する、3対のゴルフボール受容ユニットを示す。
【図１６】携帯クランプデバイス、1対のゴルフボール受容ユニット、及びいくつかのゴルフボールを含むキットの実施態様を示す。
【図１７】携帯クランプデバイス、及び、異なるが相互に交換可能な3対のゴルフボール受容ユニットを含むキットの実施態様を示す。
【図１８】携帯クランプデバイス、異なる3対のゴルフボール受容ユニット及びゴルフボールを含むキットの実施態様を示す。
【図１９】1対のゴルフボール受容ユニット、及びいくつかのゴルフボールを含むキットの実施態様を示す。
【発明を実施するための形態】
【００１３】
一般に、本開示の実施態様によるゴルフボールを加熱するためのデバイスは、2本のレバーアーム、二つのゴルフボール受容ユニット、及び、そのサイズが、手動的操作を可能とするほど十分に小さいピボットを有しており、ゴルフボールに熱を印可するものであれば、どのような構造から構成することも可能である。
【００１４】
ゴルフボールを加熱するための携帯クランプデバイスの一実施態様を図1に示す。図1において、携帯クランプデバイス101は、第1レバーアーム102及び第2レバーアーム103から構成される。参照のために、各レバーアームは、近位端及び遠位端を有すると考えることが可能である。具体的には、第1レバーアーム102は、近位端115及び遠位端116を有し、一方、第2レバーアーム103は、近位端117及び遠位端118を有する。
【００１５】
第1レバーアーム102及び第2レバーアーム103は、それぞれ、その遠位端におけるゴルフボール受容ユニットと連結させることが可能である。具体的には、第1ゴルフボール受容ユニット105は、第1レバーアーム102の遠位端116と連結させることが可能であり、第2ゴルフボール受容ユニット106は、第2レバーアーム103の遠位端118と連結させることが可能である。
【００１６】
近位端では、各レバーアームは、ピボット104に装着させることが可能である。すなわち、第1レバーアーム102は、近位端115においてピボットに装着させることが可能であり、第2レバーアーム103は、近位端117においてピボットに装着させることが可能である。
【００１７】
第1レバーアーム102及び第2レバーアーム103は、一般に、ゴルフボール受容ユニット105及び106に装着可能であり、ピボット104に装着可能であり、レバーとして動作することが可能である限り、どのような構造であってもよい。第1レバーアーム102及び第2レバーアーム103は、一般に、図8に示すように、ヒトの手201の掌204に適合する形状及びサイズを有し、4本指203と親指202によって把持することが可能である。ある実施態様では、図1、2、及び8に示すように、レバーアームは、長く、細い。第1レバーアーム102及び第2レバーアーム103は、それぞれ、長方形ボックス状、すなわち、平行長方形パイプ状または立方体状であってもよく、あるいは、全体として円筒形状の、面取りして丸くした辺縁を有していてもよい。
【００１８】
ピボット104は、第1レバーアーム102及び第2レバーアーム103の両アームの支点として動作する限り、どのような機構または構造であってもよい。一般に、この2本のレバーアーム及びピボットは、2本のクラス3レバーとして動作する。各レバーアーム及びピボットは、各レバーアームの遠位端は、そのレバーアームの中点よりも大きな距離を移動するという点でクラス3レバーとして動作する。別の実施態様では、ピボット104の、力の入力場所及びゴルフボール受容ユニットに対する相対的位置を、デバイスがクラス1またはクラス2レバー機構となるように変更してもよい。
【００１９】
一実施態様では、ピボットは、2本のレバーアームが、軸の周囲において互いに近づき、互いから遠ざかるように、該軸の周囲に回転してもよい。回転可能ピボットは、図2のピボット104における移動方向矢印によって示される。このような実施態様では、ピボットは、その回転の周回のある位置にレバーアームを保持するように偏向されてもよい。この偏向を実現するために、ピボットの中に、スプリングコイル120などの偏向機構を含めてもよい。図8は、デバイス使用時の、動作中のこのような偏向を示す。図8に示すように、ヒトの手201は、ある位置でレバーアームを把持することが可能である。ヒトの親指202が取り除かれると、偏向機構120によって、両アームは、方向矢印によって示されるように、偏向位置に移動させられる（例えば、互いに遠ざけられて）。
【００２０】
別の実施態様では、ピボットは、固定された不動構造体である。この実施態様では、第1レバーアーム102及び第2レバーアーム103は、ヒトの手によって印可される力に反応して曲がるように屈曲性を持っていてもよい。
【００２１】
第1ゴルフボール受容ユニット105及び第2ゴルフボール受容ユニット106は、それぞれ、ゴルフボールを含むか、又は部分的に含むように構成されている限り、全体としてどのような構造であってもよい。
【００２２】
ある実施態様では、各ゴルフボール受容ユニットは、外部筐体及び内部加熱面から構成させることが可能である。例えば、図14は、第1ゴルフボール受容ユニット105が、どのように第1内部筐体150及び第1内部加熱面154から構成させることが可能であるか、及び、第2ゴルフボール受容ユニット106が、どのように第2外部筐体152及び第2内部加熱面156から構成させることが可能であるか、を示す。図14に示すように、第1内部加熱面154及び第2内部加熱面156は、それぞれ、外部筐体に装着され、該筐体から解離することが可能な分離プレートであってもよい。例えば、第1内部加熱面154は、第1外部筐体150の対応部分162と結合する第1装着機構158を含んでもよく、すなわち、第2内部加熱面156が、第2外部筐体152の対応部分164と結合する第2装着機構160を含むことが可能であるのとまったく同様であってもよい。しかしながら、他の実施態様では、各ゴルフボール受容ユニットは、連続的一体型構築体であり、そのため、内部加熱面は、外部筐体部分の内面となるか、又は、外部筐体部分に固定的に付着されることも可能である。
【００２３】
各ゴルフボール受容ユニットにおける第1外部筐体150及び第2外部筐体152は、それぞれ、どのような外形を有していてもよい。外形は、例えば、図1-19に示すように半球状であってもよい。特定実施態様では、二つの外部筐体の外形は、二つのマッチする（ぴったりと適合する）半球である。それとは別に、二つの外部筐体の外形は、ボックスであってもよいし、あるいは、他の、所望の任意の形状であってもよい。
【００２４】
各内部加熱面は、全体として球状又は半球状であってもよい形状を有する。第1内部加熱面154の形状、及び、第2内部加熱面156の形状は、二次元平面によって二分された球の適合性半分体の形状を取ってもよい。図1-4及び14は、そのような実施態様を示す；特に、図3は、全体として球形のゴルフボール111の周囲に被せられる、ゴルフボール受容ユニットの半球部分105及び106の側面図を示す。それとは別に、第1内部加熱面の形状、及び第2内部加熱面の形状は、二次元平面には収まらない辺縁を持つ、互いに噛み合う、不規則適合性半球であってもよい。
【００２５】
第1ゴルフボール受容ユニット105及び第2ゴルフボール受容ユニット106は、それぞれ、図3に示すように、内径114を有する。この内径は、ゴルフボールの直径と同じか、又は、ほとんど同じであることが可能である。全米ゴルフ協会（USGA)の規則によれば、正規プレイゴルフボールの通常標準サイズは1.680又は1.720インチである。したがって、ある実施態様では、各ゴルフボール受容ユニットの内径114は、1.680インチ又は1.720インチであってもよい。しかしながら、全米ゴルフ協会規則は最大径を指定していないので、ゴルフボール受容ユニットは、ゴルフボールの直径に相当する内径である限りいずれの内径を有していてもよい。さらに、直径114は、該直径114が、USGA規則とは無関係に任意の値を取ることができるよう、非正規プレイ用に構成されていてもよい。
【００２６】
ある実施態様では、第1内部加熱面154及び第2内部加熱面156の一方、または両方は、その内部にパターンを持ってもよい。使用時、デバイス101は、ゴルフボールを指定の温度に加熱し、該パターンをゴルフボールの表面に印刻することによって、該ゴルフボールの表面にそのパターンを付与してもよい。パターンは一般にどのようなタイプのパターンであってもよい。例えば、パターンは、ゴルフのラウンド中ゴルフボールのプレイ状態に影響を及ぼす機能的パターンであってもよいし、あるいは、パターンは、ゴルフボール表面の外観を変えるだけの化粧パターンであってもよい。特定実施態様では、パターンはディンプルパターンである。図1、3-7、及び14は、代表的ディンプルパターン110を示す。一般に、当該技術分野で公知のように、「逆」ディンプルパターンとは、所望のディンプルパターンの逆であり、そのため、ゴルフボールにおいてディンプル陥凹が形成されるはずの各場所は、そのディンプルに一致する隆起した突起を含む。したがって、「逆」ディンプルパターンは、ディンプルパターンの一種であり、ディンプルパターン110は、対応的ディンプルを有するゴルフボールが得られるものである限り、任意のタイプのパターンと理解してよい。
【００２７】
ゴルフボール受容ユニットは、ゴルフボールが、該ゴルフボール受容ユニットの中に納められたとき、該ゴルフボールを特定方向に方向づける、少なくとも一つの構造体を含んでもよい。図5-7は、ゴルフボールの方向づけのために使用することが可能な代表的構造体を示す。例えば、図5は、対応するゴルフボールを方向づけるために、どのように数本のピンが使用されるかを示す。具体的には、第1ゴルフボール受容ユニット105は、第1ピン700、第2ピン701、及び第3ピン702を含んでもよい。図5及び6では、ピンは、断面が三角形であるとして示されるが、それらは全体として、長細いものである限りどのような構造体として構成されてもよい。ピンは、ゴルフボール受容ユニット内の内部加熱面から延びる。次に、関連ゴルフボール193は、少なくとも一つのピンに一致する、少なくとも一つの孔を有してもよい。具体的には、ゴルフボール193は、第1ピン700に一致する第1孔710、第2ピン701に一致する第2孔701、第3ピン702に一致する第3孔712を有していてもよい。図6に示すように、ゴルフボール受容ユニット106はさらに、ゴルフボールを方向づけるための一つ以上の構造体を含んでもよい。すなわち、ゴルフボール受容ユニット106は、第4ピン703、第5ピン704、及び第6ピン705を含んでもよい。したがって、関連ゴルフボール193も、第4孔713、第5孔714、及び第6孔715を有してもよい。図5及び6に示す各ゴルフボール受容ユニットは、ゴルフボールを方向づけるために3個の構造体を含むが、そのような構造体の数は、一般に、必要に応じて任意の数であってもよい。例えば、ある実施態様では、第1ゴルフボール受容ユニット105及び第2ゴルフボール受容ユニット106は、それぞれ、ただ一つのそのような構造体、例えば、ピン701及びピン704を含んでもよい。これらの構造体は、例えば、それがなければ球形として対称的とならないゴルフボールにパターンを印可するのに有用となる場合がある。
【００２８】
図6に示すように、ゴルフボール受容ユニットにおいてゴルフボールを方向づけるための一つ以上の構造体は、後退可能であってもよい。具体的には、図6は、ピン702が、どのように第1ゴルフボール受容ユニット105本体の中に後退可能であるかを示す。代表的後退機構720を、図6のズームイン拡大部分に示す。この代表的後退機構720は：ピン702をその上に保持するプラットフォーム721、後退機構を偏向するためのバネ722、及び、ラッチ724を、ラッチ受容構造体725に嵌合させるための制御機構723を含む。したがって、本後退機構720のお陰で、後退可能ピン702は、必要なときだけ使用することが可能である。
【００２９】
図7は、ゴルフボールがゴルフボール受容ユニット内に納められたとき、該ゴルフボールを特定方向に方向づける構造体の別の実施態様である。この実施態様では、構造体730は、非正規形状ディンプル、すなわち、別の形状でディンプルパターン110の一部となるディンプルである。この非正規形状ディンプル730は、ゴルフボール195における非正規形状ディンプル731に一致してもよい。ゴルフボール195はさらに、第2ゴルフボール受容ユニット106（図7には図示せず）における第2非正規形状ディンプルと一致する、第2非正規形状ディンプル732を有していてもよい。このような非正規形状ディンプル構造体は、既存のディンプルパターンをその上に持つゴルフボールを、（例えば）、反復使用後、該既存のディンプルパターンを修復するために本開示のゴルフボール加熱デバイスを使用するに際して、該ゴルフボールを方向づけるのに有用である可能性がある。
【００３０】
ゴルフボール受容ユニットは、レバーアームに対し、公知の任意の装着機構によって装着してよい。例えば、第1ゴルフボール受容ユニット105は、第1レバーアーム102に対し、第1装着機構180によって取り外し可能的に装着されてもよく、それは丁度、第2ゴルフボール受容ユニット106が、第2レバーアーム103に対し第2装着機構181によって取り外し可能的に装着されるのと同様である。
【００３１】
図1、4、5、及び9に示すように、第1装着機構180の一実施態様は、臍（ほぞ）溝型機構であってもよい。このような実施態様では、第1レバーアーム102には第1溝107が設けられ、第2レバーアーム103には第2溝109が設けられてもよい。ゴルフボール受容ユニットの一部である、第1臍180又は第2臍181などの臍装着機構は、第1溝又は第2溝に対し、例えば、第1臍180を第1溝107の中に滑り込ませることによって嵌合することが可能である。この臍及び溝は、一般に、成分同士の装着をしっかりと維持できるものであればどのような形状を取ってもよい。図9は、装着機構180を第1溝107の中に滑り込ませることが可能な、この実施態様の詳細図を示す。装着機構180は、タブ302、又は、該装着機構180を確保するその他の機構／立体構造によって、所定の場所に保持することが可能である。タブ302はユーザーによって移動させることが可能である。したがって、ユーザーは、ゴルフボール受容ユニット105をレバーアーム102に装着することが可能であるばかりでなく、レバーアーム102からゴルフボール受容ユニット105を思いのままに取り外すことが可能である。
【００３２】
図10は、取り外し可能装着機構330及び331の別実施態様を示す。図10に示すように、別の装着機構330及び331は、雄／雌噛み合わせ機構であってもよい。雄部分330は、レバーアーム102に配することが可能であり、一方、雌部分331は、ゴルフボール受容ユニット105に配することが可能である。それとは別に、雄・雌部分の位置は逆転させてもよい。タブ305は、雄及び雌の噛み合わせ部分を所定の位置に確保し、そうすることによって、ゴルフボール受容ユニット105をレバーアーム102に対し取り外し可能的に装着することが可能である。取り外し可能な装着機構に関しては、一般に機械技術分野において公知であるように、外にも様々な実施態様が考えられるが、それらは本開示の範囲内にある。
【００３３】
それとは別に、第1ゴルフボール受容ユニット105及び第2ゴルフボール受容ユニット106は、（それぞれ）、第1レバーアーム102及び第2レバーアーム103に対し、該第1レバーアーム102又は第2レバーアーム103から取り外しができないように装着されてもよい。このような実施態様では、第1ゴルフボール受容ユニット105及び第2ゴルフボール受容ユニット106は、それぞれ、第1レバーアーム102及び第2レバーアーム103に対し恒久的に固定されてもよい。図14は、このような実施態様を示し、この態様では、第1非解離型装着機構183が、第1ゴルフボール受容ユニット105を第1レバーアーム102に接続し、第2非解離型装着機構185が、第2ゴルフボール受容ユニット106を第2レバーアーム103に接続する。このような非解離型装着機構は、一般に、どのような構造であってもよく、例えば、ファスナー、ネジ、ボルト、溶接、接着などであってもよい。さらに、各ゴルフボール受容ユニットは、各レバーアームに対し、それらの間にデバイスの別成分が入ることがないように直接装着されてもよい。
【００３４】
本携帯クランプデバイスの中に取り込んでもよい、その他の特色が図11に示される。具体的には、デバイス101は、ラッチ機構360及び361であって、該ラッチ機構360及び361が嵌合されるとき、第1ゴルフボール受容ユニット105及び第2ゴルフボール受容ユニット106を、相互の直接接触状態に維持するラッチ機構を含んでもよい。このラッチ機構360及び361は、第1ゴルフボール受容ユニット105上の第1ラッチ部分360、及び、第2ゴルフボール受容ユニット106上の第2ラッチ部分361から構成されていてもよい。これら二つの部分は、図11の下方部分に示すように、第1ゴルフボール受容ユニット105及び第2ゴルフボール受容ユニット106を突き合わせて保持するために、一時的に嵌合させてもよい。ラッチ機構360及び361は、一般に、第1ゴルフボール受容ユニット105及び第2ゴルフボール受容ユニット106を一時的に突き合わせて保持することが可能であるならば、どのような構造体であってもよく、物理的に噛み合う構造体、一対の電磁石の様な電子システムなどを含んでもよい。
【００３５】
ラッチ機構360及び361はさらに、図11及び12に示すように、一つ以上の解除機構、例えば、手動解除機構380、又は自動解除機構390に接続されてもよい。第1局面では、デバイス101は、ユーザー起動入力に応じてラッチ機構を解除する、手動解除機構380を含んでもよい。図11及び12に示すように、手動解除機構380は、第1ゴルフボール受容ユニット105に配され、コネクター321によってラッチ機構360及び361に接続されるボタン307を含んでもよい。コネクター321は、電子ワイヤーでも、又は物理的接続であってもよい。したがって、ユーザーは、望みのときラッチ機構360及び361を解除するために、手動解除ボタン307を押してもよい。しかしながら、手動解除機構380は、ボタン以外の他の形を取ることも可能であり、かつ、該手動解除機構380がユーザーの入力に応じてラッチ機構360及び361を解除する限り、デバイスの他の任意の部分に配置することが可能である。
【００３６】
別局面では、デバイス101は、自動解除機構390を含んでもよい。この自動解除機構390は、温度センサー309、コントローラー315、及びトリガー317から構成されてもよい。動作時、先ず、温度センサー309は、ゴルフボール受容ユニット105の中の、又は周囲の温度を感受することが可能である。次に、温度センサー309は、この温度に基づくインプットをコントローラー315に送ってもよい。コントローラー315は、このインプットを、指定の温度閾値、例えば、ゴルフボール111が十分に冷やされるほど低い温度と比較するようにプログラムされていてもよい。このプログラミング処理によって、このインプットが、指定の温度閾値以下であることが判明した場合、コントローラー315は、トリガー317に信号を送ってもよい。次に、トリガー317によってラッチ機構の解除が誘発され、そのため、第1ゴルフボール受容ユニット105及び第2ゴルフボール受容ユニット106の内部に含まれるゴルフボールは、ユーザーによる取り出しが可能とされる。したがって、自動解除システム390は、加熱プロセスが完了するまで、ゴルフボール受容ユニットを閉鎖状態に維持する。
【００３７】
自動解除システム390の各種部分が数本のワイヤーによって接続されたところが図12に示される。具体的には、温度センサー309は、電子ワイヤー311によってコントローラー315に接続され、トリガー317は、電子ワイヤー313及びコネクター321を経由し手動解除ボタン307を介してラッチ機構360及び360に接続され、この場合、コネクター321は、電子ワイヤーであってもよい。これらのワイヤーは、第1ゴルフボール受容ユニット105及び第2ゴルフボール受容ユニット106が、必要に応じてデバイス101から取り外し可能となるように、任意の中間接続体（図示せず）を含んでもよい。さらに、各接続体及びワイヤーは、特定部分から、好みに応じていずれかの方向に信号を伝達してもよい。
【００３８】
図12に示すように、コントローラー315及びトリガー317は、ピボット104の中に配置されてもよい。それとは別に、コントローラー315及びトリガー317は、それらがラッチ機構360及び361及び温度センサー309に対して適切に接続される限り、デバイス101の中の他の任意の場所に配置されてもよい。
【００３９】
さらに、コントローラー315及び関連成分は、加熱要素406を制御してもよい。代表的加熱要素406を図11-13に示す。例えば、コントローラー315は、第1ゴルフボール受容ユニット105及び第2ゴルフボール受容ユニット106が閉鎖したという信号をラッチ機構360及び361から受信し、その時点で、コントローラー315は、トリガー317に信号を送ってもよい。次に、トリガー317は、加熱要素406が加熱順序を開始するのを誘発してもよい。この加熱順序は、コントローラー315及びトリガー317とのフィードバックループにおいて温度センサー309によって監視されてもよい。最後に、コントローラー315は、例えば、指定期間の終了、又は指定温度の実現に応じて加熱順序を終えるようにトリガー317に送信してもよい。このようにして、ゴルフボールに調節的に熱を印可するためにデバイス101を使用することが可能である。
【００４０】
温度センサー309との関連において、ゴルフボール受容ユニット106はさらに、その上に温度ディスプレイ308を有していてもよい。第1ゴルフボール受容ユニット105及び第2ゴルフボール受容ユニット106のどちらか又は両方が、その上に温度ディスプレイ308を有していてもよい。図11に示すように、温度ディスプレイ308は、温度センサー309からのデータに基づいてゴルフボール受容ユニット106の温度をユーザーに表示する視覚ディスプレイであってもよい。温度センサー309は、電子ワイヤー319によって温度ディスプレイ308に接続されてもよい。温度ディスプレイ308は、この情報を定性的に、例えば、図11に示すように「熱」又は「冷」のいずれかを示すことによって呈示してもよい。それとは別に、温度ディスプレイ308は、温度情報を定量的に、例えば、温度を華氏又は摂氏で、又はケルビン単位で示すことによって呈示してもよい。
【００４１】
デバイス101は、その全体像が図13に示される電気システムを含んでもよい。この電気システムは、加熱要素が電熱要素である場合、該加熱要素に電気を供給することが意図される。電気システムは、少なくとも一つのバッテリー405を含んでもよい。単数又は複数のバッテリー405は、図13に示すように、筐体404に覆われて、第1レバーアーム102又は第2レバーアーム103のいずれかの区画中に配置されてもよい。それとは別に、バッテリー405は、デバイス101中の他の任意の場所、例えば、ピボット104の中に配置されてもよい。バッテリー405は、一般に、任意のタイプのバッテリーであってよく、例えば、アルカリ、ニッケル-金属水素化物、又はリチウムイオンバッテリーであってもよい。ある実施態様では、バッテリーは再充電が可能である。
【００４２】
電気システムはさらに、外部電源に接続するためのポート402を含んでもよい。図13は、このポート402が、電気を供給する2ピンプラグ401に接続するための、2ピン「A型」電気ソケットであるところを示す。しかしながら、ポート402は、任意の型の電気ソケットであってよく、例えば、3ピンの「B型」ソケットであってもよい。ソケットの形は、一般に、任意の設計のものでよく、例えば、米国標準ソケット、日本標準ソケット、又はEU標準ソケットであってもよい。他の実施態様では、ポート402は、例えば、電力供給USBポート又はACアダプターポートであってもよい。ポート402は、該ポート402がデバイスの使用又は保存時、汚染から保護されるようにカバー403で覆うことが可能である。
【００４３】
外部電源401を、バッテリー405を充電するためか、又は、バッテリー405を用いることなくデバイスを操作するために使用してもよい。したがって、ある実施態様では、ユーザーは、デバイス101を、それが外部電源に差し込まれている間、又は外部電源に接続されなくとも、そのどちらでも使用することが可能である。デバイス101はさらに、電気システムがオンかオフのどちらなのかを呈示するための表示ライト（図示せず）を含んでもよい。
【００４４】
電気システムの各種部分は、それらの各種成分に電気を配送するのに一般に必要なものである限り、どのような形で電気ワイヤーで接続されてもよい。これらのワイヤーは、図13に示すような電気通路407を辿る。電気は、リード301を通じてゴルフボール受容ユニット105中の加熱要素406に配送することが可能である。リード301は、ゴルフボール受容ユニット105の取り外しを可能とする。しかしながら、別の実施態様は、第1ゴルフボール受容ユニット105及び／又は第2ゴルフボール受容ユニット106が、それぞれ、第1レバーアーム102及び第2レバーアーム103から取り外しが可能であるか、又は、それらのアームに恒久的に装着されるかに応じて、他の接続体又はワイヤー形態を使用してもよい。
【００４５】
第1ゴルフボール受容ユニット105及び第2ゴルフボール受容ユニット106は、それぞれ、加熱要素を含む。図14に示すように、第1ゴルフボール受容ユニット105は第1加熱要素406を含み、第2ゴルフボール受容ユニット106は第2加熱要素408を含む。一般に、第1加熱要素406及び第2加熱要素408は、それぞれ、第1ゴルフボール受容ユニット105又は第2ゴルフボール受容ユニット106の内部加熱面に対し、制御された、均一量の熱を配送するものである限り、どのタイプの加熱要素であってもよい。一般に、第1加熱要素406及び第2加熱要素408は、それぞれ、ゴルフボール111の表面を加熱するため、内部加熱面が所望の温度を実現することを可能とするものでなければならない。ある実施態様では、内部加熱面の温度は、約140℃未満であればいずれの温度であってもよい。具体的には、ある実施態様では、内部加熱面154又は156の温度は、約100℃と約140℃の間にあってもよい。
【００４６】
一実施態様では、図13及び14に示すように、加熱要素406は、内部加熱要素154を取り囲むワイヤーから構成されてもよい。この加熱要素406は、電熱要素であってもよく、例えば、単純な抵抗器又は電磁誘導加熱（IH)システムであってもよい。上述のように、加熱要素406は、コントローラーが加熱要素を制御することが可能となるように自動解除システムに接続されてもよい。
【００４７】
使用時、デバイス101は、ユーザーが、ゴルフボール111をゴルフボール受容ユニット105及び106の中に置くことによって、該ゴルフボール111に熱を印可することを可能とする。図1に示すように、ゴルフボール111は、第1ゴルフボール受容ユニット105の中に納められる。図2は、次に、力が印可されて、ゴルフボール111の周囲において第1ゴルフボール受容ユニット105及び第2ゴルフボール受容ユニット106が合さって閉鎖されることを示す。各ゴルフボール受容ユニットの内部加熱面が、その上にパターン110を含む実施態様では、該パターン110は、ゴルフボールの表面に付与される。この工程は、図3及び4に示される。最後に、図8は、ユーザーが、第1ゴルフボール受容ユニット105及び第2ゴルフボール受容ユニット106を一緒に接合させる力をもはや印可しなくなった場合、それらのユニットが、ピボット104中の偏向機構120によって強制的に切り離される実施態様を示す。
【００４８】
ある実施態様では、デバイス101は、ボールウォーマーとして使用してもよい。このような実施態様では、各ゴルフボール受容ユニットの内部加熱面は、その上にパターンを、すなわち、ゴルフボール191上の既存のパターンに一致するパターンを持たなくともよい。デバイス101がゴルフボールウォーマーとして作動する場合、第1加熱要素406及び第2加熱要素408は、一般に、（それぞれ）第1内部加熱面154及び第2内部加熱面156が、約室温、約20℃から約25℃の温度、又は、室温よりもやや高い温度、すなわち、最大約50℃の温度の実現を誘発する。デバイス101は、一般に、ゴルフボール191の全体が平衡温度に達するのに十分な時間ボール191を温めてもよい。
【００４９】
別の実施態様では、デバイス101は、ユーザーが、完成ゴルフボール191上の既存パターンを修復することを可能とする。図16は、このために使用されてもよいキット601を示す。キット601は、携帯クランプデバイス101、第1ゴルフボール受容ユニット105、第2ゴルフボール受容ユニット106、及び、少なくとも一つの完成ゴルフボール191を含む。この完成ゴルフボール191は、その表面に既にディンプルパターンを形成させていてもよい。キット601におけるゴルフボール191は、デバイスがそのゴルフボールを加熱するとき、そのパターン110による印刻が可能なカバー層を有していてもよい。具体的には、ゴルフボールカバー層は、約140℃未満の温度において印刻されることが可能な化学式を持っていなければならない。
【００５０】
この実施態様では、第1ゴルフボール受容ユニット105及び第2ゴルフボール受容ユニット106の内部加熱面上のパターン110は、完成ゴルフボール191上の既存のディンプルパターンに一致するディンプルパターンである。したがって、ユーザーは、完成ゴルフボール191によって数ラウンドのゴルフプレイをすることもあるが、最終的には、該完成ゴルフボール191の表面は割れ目及び変形を呈する。この時点で、次にユーザーは、デバイス101、及び関連する第1ゴルフボール受容ユニット105及び第2ゴルフボール受容ユニット106を用いて、該完成ゴルフボール191にパターン110を付与し、それによって該ゴルフボール191上のディンプルパターン110をその元の状態に復帰させてもよい。
【００５１】
さらに別の実施態様では、デバイス101は、ユーザーの好みのままに種々の異なるパターンをゴルフボールに付与するように使用されてもよい。図17及び18は、このために使用されてもよいキットを示す。図17に示すキット602は、携帯クランプデバイス101、及び、3対のゴルフボール受容ユニットから成る1セット550を含む。特に、キット602は、第1ゴルフボール受容ユニットペア501、第2ゴルフボール受容ユニットペア502、及び、第3ゴルフボール受容ユニットペア503を含む。図18に示すキット603は、キット602と同じであるが、さらに、その上にディンプルパターンを持たない、少なくとも1個の完成ゴルフボール111を含む。ディンプルを欠くことを除けば、他の点では、このゴルフボール111は、ゴルフボール191と同じであってもよい。ゴルフボール111及びゴルフボール191は、共に、完成ゴルフボールであり、これは、これらのボールが、正規プレイのゴルフボールに一般的に使用される全ての材料層、（例えば）、カバー層、コーティング層、及びトップコートなどを含むことを意味する。
【００５２】
図17及び18に示すものと同様の実施態様では、キットは、任意の数のゴルフボール受容ユニットペアから成る1セット550を含むことが可能である。例えば、この、ゴルフボール受容ユニットペアから成るセット550は、1ペア、2ペア、3ペア（図示される）、4ペア、又はそれ以上を含むことが可能である。
【００５３】
セット550におけるゴルフボール受容ユニットの各ペアはさらに、その内部加熱面に異なるパターンを有していてもよい。図15は、そのような実施態様の例であり、ここでは、第1ペア501は第1パターン511を有し、第2ペア502は第2パターン512を有し、第3ペア503は第3パターン513を有する。図15に示すように、第1パターン511、第2パターン512、及び第3パターン513は、それぞれ、異なるディンプルパターンであってもよい。
【００５４】
セット550におけるゴルフボール受容ユニット各ペアにおけるパターンは、それぞれ、所望の作用を実現するために、互いにある関係を表していてもよい。特に、異なるパターンは、ゴルフボールの異なるプレイ特徴と一致してもよい。例えば、第1パターン511、第2パターン512、及び第3パターン513は、ゴルフボールの異なるプレイ特徴と一致していてもよい。
【００５５】
例えば、一対のゴルフボール受容ユニットにおけるパターンが、すなわち、セット501におけるパターン511などがディンプルパターンである場合、そのディンプルパターンは、各ディンプルの全体容積の総合計に一致する、ディンプル全体容積を有する。このディンプル全体容積は、該一対のゴルフボール受容ユニットの直径114と相俟って、ある任意のサイズのゴルフボールについて、余分な材料が少しでもあれば、それがドレイン112（図3に図示）から排出されるかどうかを決定する。
【００５６】
ある実施態様では、ゴルファーは、余分な材料があっても、それがドレイン112から排出されないことを望む場合がある。一方、にも拘わらず、ゴルファーは、セット550の数ペアのゴルフボール受容ユニット中の一つ以上を用いて、完成ゴルフボール111又は191上のディンプルパターンを変えたいと思う場合がある。このような実施態様では、いくつかのディンプルパターンのそれぞれは、同じディンプル全体容積を有していてもよい。このような実施態様は、例えば、ディンプルの全体容積を一定に維持しながら、各パターンにおけるディンプルの数、直径、及び深さを変えることによって実現することが可能である。ディンプルの全体容積を定量するための方法及び計算は、一般に、当該技術分野において公知である。
【００５７】
図15は、第1パターン511が、多数の小径ディンプルを有するディンプルパターンである実施態様を示す。次に、第2パターン512は、中等数の中等径ディンプルを有するディンプルパターンである。最後に、第3パターン513は、多数の小径ディンプルを有するディンプルパターンである。ゴルフボール受容ユニット501、502及び503の各ペアは、他の点では、同じ直径114を有する。したがって、この実施態様では、ディンプルの全体容積は、第1パターン511、第2パターン512、及び第3パターン513において同じである。
【００５８】
したがって、ゴルファーは、セット550のゴルフボール受容ユニットペア501、502、又は502の内の任意のペアを用いて、余分の材料を排出することなくゴルフボール上のディンプルパターンを変えてもよい。この実施態様は、例えば、ゴルファーが、例えば、ある天候条件下に一ディンプルパターンを変えたいと思い、異なる天候条件下に別のディンプルパターンを変えたいと思う場合に使用することが考えられる。これは、ゴルファーが、湿潤天候ではゴルフボールに第1ディンプルパターンを印加し、一方、乾燥天候では第2ディンプルパターンを印加することを可能とする。したがって、異なるパターンは、ゴルフボールの異なるプレイ特徴と一致してもよい。
【００５９】
第1キット601、第2キット602、及び第3キット603は、それぞれ、デバイス101のある実施態様、すなわち、ゴルフボール受容ユニットがレバーアーム102及び103から取り外しが可能である実施態様に関して、上に図示し、説明した。しかしながら、他の実施態様では、各キットのデバイス101は、恒久的に装着されるゴルフボール受容ユニットを含んでもよい。その際、恒久的に装着されるゴルフボール受容ユニットは、それぞれ、外部筐体150、及び、該外部筐体から取り外すことが可能な内部加熱面プレート154を含む。携帯クランプデバイスのこの実施態様を図14に示す。
【００６０】
したがって、キット（図示せず）は、第1ゴルフボール受容ユニット外部筐体150、及び、第2ゴルフボール受容ユニット外部筐体152を含むデバイス101を含んでもよい。このキットはさらに、少なくとも二つのプレートペア（図示せず）のセットを含んでもよく、その際、各プレートペアの各プレートは、第1ゴルフボール受容ユニット外部筐体150及び第2ゴルフボール受容ユニット外部筐体152の内の少なくとも一つに対し取り外し可能に装着させることが可能である。さらに、各プレートペアは、その内部加熱面に異なるパターンを有していてもよい。これらの異なるパターンは、第1パターン511、第2パターン512、及び第3パターン513と同じであってもよいし、それらとは異なっていてもよい。すなわち、プレート上の異なるパターンは、全て、同じディンプル全体容積を有するが、異なるディンプルパターンであってもよい、あるいは、各ディンプルパターンは異なるプレイ特徴に一致してもよい。このようなキットは、ゴルファーによって上述のように使用される場合もあるが、ゴルファーは、ゴルフボール受容ユニットを変える代わりにプレートを変えてもよい。
【００６１】
最後に、キット604の別の実施態様は、少なくとも一つのゴルフボールの外に、少なくとも一対のゴルフボール受容ユニット、又は少なくとも一対のプレートから成るセットを含んでもよい。例えば、図19に示すように、キット604は、1対のゴルフボール受容ユニットだけ、すなわち、第1ゴルフボール受容ユニット105及び第2ゴルフボール受容ユニット106だけを含んでもよい。これらのゴルフボール受容ユニット105及び106は、上で色々に論じたものとその他の点では同様である、すなわち、それらも、加熱要素406、デバイス101に装着するための装着機構180又は181、及び、その、各内部加熱面の上にディンプルパターン110を含むことが可能である。
【００６２】
このキットの少なくとも一つの完成ゴルフボール111は、上述のものと同様であってもよい。具体的には、このキットのゴルフボールは、デバイスが該ゴルフボール111を加熱した場合、パターン110によって印刻が可能とされるカバー層を有していてもよい。特に、ゴルフボールカバー層は、約140℃未満の温度において印刻が可能とされなければならない。
【００６３】
ユーザーは、該ユーザーが既にデバイス101を所有するが、ゴルフボール受容ユニットペア550又はプレートのセットを、別ペアと換えるか、別ペアで補強したいと思うときに、本キット604を購入又は使用してもよい。
【００６４】
これまで本発明の各種実施態様が説明されてきたわけであるが、本説明は、限定的ではなく例示的であることを意図するものであり、本発明の範囲内においてさらに多くの実施態様及び実行例が可能であることは当業者には明白であろう。したがって、本発明は、添付の特許請求項及びその等価物に徴することを除いて限定されてはならない。さらに、添付の特許請求項の範囲内において各種改変及び変更を実行してよい。
【符号の説明】
【００６５】
１０１    携帯クランプデバイス
１０２    第1レバーアーム    
１０３    第2レバーアーム
１０４    ピボット
１０５    第1ゴルフボール受容ユニット        
１０６    第2ゴルフボール受容ユニット
１１０    パターン
１１１    ゴルフボール
１１５    近位端
１１６    遠位端
１１７    近位端
１１８    遠位端
【図１】
0005481347.tif 000002
【図２】
0005481347.tif 000003
【図３】
0005481347.tif 000004
【図４】
0005481347.tif 000005
【図５】
0005481347.tif 000006
【図６】
0005481347.tif 000007
【図７】
0005481347.tif 000008
【図８】
0005481347.tif 000009
【図９】
0005481347.tif 000010
【図１０】
0005481347.tif 000011
【図１１】
0005481347.tif 000012
【図１２】
0005481347.tif 000013
【図１３】
0005481347.tif 000014
【図１４】
0005481347.tif 000015
【図１５】
0005481347.tif 000016
【図１６】
0005481347.tif 000017
【図１７】
0005481347.tif 000018
【図１８】
0005481347.tif 000019
【図１９】
0005481347.tif 000020